(57)【要約】      （修正有）【課題】西洋みつばちの養蜂方法を日本みつばち冬場専用の養蜂方法に改良する。【解決手段】養蜂箱本体１の巣箱内の上方部にはちみつの巣が形成されているかどうかを確認して充分にはちみつが貯留されていたならば養蜂箱本体を横に倒して底板を取りはずし、かつ空箱の養蜂箱本体の底板を取りはずしてはちみつ入りの養蜂箱に連着する工程と、はちみつ入りの養蜂箱本体の上蓋を取りはずしてみつ入り巣を包丁により取りはがしてみつ入り板を別体の袋に収納する工程と、底板みつ入り板を除去した後にはちを空箱の養蜂箱本体内のすべてのはちを移動させる工程とからなる日本みつばち専用の養蜂方法において、養蜂箱本体をこも類３の防寒材で包装しゴムひも４で締着し、一方発砲ウレタン等の合成樹脂素材から成形される容器内にはちみつを吸入するスポンジを入れかつ砂糖水を注入し、冬場の働きばちに給餌してなる日本みつばち冬場専用の冬場養蜂方法の提供。【選択図】図２
2012065551.tif 000002
【特許請求の範囲】
【請求項１】
養蜂箱本体の巣箱内の上方部にはちみつの巣が形成されているかどうかを確認して充分にはちみつが貯留されていたならば養蜂箱本体を横に倒して底板を取りはずし、かつ空箱の養蜂箱本体の底板を取りはずしてはちみつ入りの養蜂箱に連着する工程と、はちみつ入りの養蜂箱本体の上蓋を取りはずしてみつ入り巣を包丁により取りはがしてみつ入り板を別体の袋に収納する工程と、底板みつ入り板を除去した後にはちを空箱の養蜂箱本体内のすべてのはちを移動させる工程とからなる日本みつばち専用の養蜂方法において、前記養蜂箱本体をわらを素材にしたこも類の防寒材で包装してゴムひもで締着して冬季の養蜂箱本体を防護し、一方発砲ウレタン等の合成樹脂素材から成形される容器内にはちみつを吸入するスポンジを入れかつビン類に入っている砂糖水を注入し、冬場の働きばちに給餌してなることを特徴とする日本みつばち冬場専用の冬場養蜂方法。
【請求項２】
請求項１記載の冬場養蜂方法において、水1.８ｌに対して白砂糖２ｋｇと少量の食塩を入れ混合攪拌して一升ビンに収納してなる請求項１記載の日本みつばち冬場専用の養蜂方法。
【発明の詳細な説明】
【技術分野】
【０００１】
本発明は、みつばちの養蜂方法に関するが詳しくは日本みつばち専用の養蜂方法に関するものである。
【背景技術】
【０００２】
従来から一般的な養蜂方法は専ら西洋みつばちの養蜂方法であり、例えば特開平８‐３７９８４号（特許第２７８３９７７号）が開示されている。この養蜂方法は、養蜂箱に巣門と通気口とを備えた養蜂箱本体と、外養蜂箱本体との開閉を自在にした養蜂箱蓋とから成る養蜂箱において、前記養蜂箱本体の通気口に手動操作用の作動ツマミを具備した回転自在の開閉蓋を取付け、かつ作動ツマミを係止するストッパーを付設し、更に前記養蜂箱の上方奥部分に餌補給と通風とを兼備した長方形網張口を設け、かつ該長方形網張口に開閉自在の開閉蓋を付設して成り、一方前記養蜂箱蓋の開閉蓋をゴムバンドを介して係止して成ることを特徴とする養蜂箱を用いて、はちみつを採取するものである。
【特許文献１】特開平８−３７９８４号公報  この公開されている養蜂方法は、図１５から図２５に示した養蜂箱を用いて西洋みつばちのみつを採取する方法である。以下、その具体的な養蜂箱とその養蜂方法について説明する。
【０００３】
図４乃至図９は従来の養蜂箱を示したものであり、２１が養蜂箱本体で２２が通気口である。養蜂箱本体２１は、木製の素材を用いて箱状に加工されており、その一側面（前方）には巣門２７と通気口２２が形成されている。巣門２７は下段中央部に細長状に穴設されており、通気口２２はその上方部に円形状に穴設されている。また、この通気口２２には網張りＳされている。２３は通気口２２の開閉蓋であり木製板を円形状に形成し、その表面には開閉蓋２３を手動操作するための作動ツマミ２４が取付けてある。また、この開閉蓋２３は後述するように巣門を開閉する機能も有している。２５は開閉蓋２３を通気口２２に取付るための支軸ネジであり、この支軸ネジ２２を軸心にした開閉蓋２３を一定の位置で係止させるためのストッパーであり、作動ツマミ２４が係止されるように構成されている。
【０００４】
また２８は養蜂箱蓋であり、上方部分に餌を補給するための餌補給と痛風とを兼備した長方形網張口が穴設されている。この餌補給口２９の内側は網張Ｄされており、上方奥部分には開閉自在になる開閉蓋３０が付設されている。なお３１は蝶つがいであり、この蝶つがい３１を介して開閉蓋３０を自在に開閉できるので、ワンタッチで餌補給口２９から餌を注入することができると共に、養蜂箱本体２７内に外気を通風させることができる。なお、３２はゴムバンド３３を止める係止ピンである。
【０００５】
次に、図１０と図１１によって従来の養蜂箱の操作方法について説明する。まず、開閉蓋２３の作動ツマミ２４を手で持ち右方向に回転させると、作動ツマミ２４がストッパー２６で係止され通気口２２は図１７に示すように開閉蓋２３によって完全に密封されることになる。その際、巣門２７は開口状態となる。ついで、支軸ネジ２５を軸心にして作動ツマミ２４を左方向に回転させると、図１８に示すように開閉蓋２３を下方向に移動し一定の位置（本図では支軸ネジ２５と対向位置で停止される。その結果、通気口２２は開閉状態となるが、巣門２７は密封状態となる。なお、開閉蓋２３は木製素材が用いられている。
【０００６】
更に、図８と図９によって従来の養蜂箱から成る養蜂箱蓋の開閉操作について説明する。まず、通常は図１９のように開閉蓋３０は係止ピン３２、３２間にゴムバンドで止められているので、蓋部分は完全に密封状態で閉じられている。この状態でもって、養蜂箱内に餌を補給しようとする場合は、図２０に示すようにゴムバンド３３を係止ピン３２から取りはずして開閉蓋３０を矢印方向に手動操作すれば、餌補給口２９が開かれて網張りＤ部分から餌を補給することができる。その後、餌補給口２９を介して養蜂箱内の空気と外気との通風も同時に行うことが可能となり、しかも養蜂箱内の様子を見ることも可能となる。
【発明の開示】
【発明が解決しようとする課題】
【０００７】
このように従来から開発されて使用されている養蜂箱は、いずれも西洋みつばちの養蜂方法に使用される養蜂箱であって、日本みつばちの養蜂箱でも養蜂方法ではない。日本みつばちは、すでに５〜６０年前に西洋みつばちが輸入されてからは、活用できず壊滅状態となり日本国から日本みつばちは消滅されてしまった。
【０００８】
特に、日本みつばちは日本の自然環境とりわけ日本全土の草花・果物の受粉としての役割は大昔（２０〜３０億年前位）から果たしてきていた。それが西洋みつばちの輸入によって日本全土から日本みつばちがいなくなり、すべてが西洋みつばちが代役されてきたのが現状である。
【０００９】
しかし最近では、その西洋みつばちが原因不明の現象によって滅びつつあり、やむを得ず日本の養蜂業者は外国からみつのみを輸入して市場化されるようになった。その結果、不良品のはちみつが市場に出廻り役所の監視化が厳しくなり、日本での養蜂業者の経営が成り立たず廃業する現象も起きている。この現象によって、西洋みつばちが日本全土から姿を消えれば受粉を人間の手によって行わなければならず、しかもその成果が不充分であるから、野菜や果物の生産農家にも多大な影響を及ぼすことになる。
【００１０】
そこで、我が国古来からの日本みつばちの早期開発が求められており、西洋みつばちに代って我が国本来の日本みつばちが開発されている。ここに本発明が解決しようとする課題を有する。
【課題を解決するための手段】
【００１１】
本発明は上記の如き課題を解決するために開発したものであって、養蜂箱本体の巣箱内の上方部にはちみつの巣が形成されているかどうかを確認して充分にはちみつが貯留されていたならば養蜂箱本体を横に倒して底板を取りはずし、かつ空箱の養蜂箱本体の底板を取りはずしてはちみつ入りの養蜂箱に連着する工程と、はちみつ入りの養蜂箱本体の上蓋を取りはずしてみつ入り巣を包丁により取りはがしてみつ入り板を別体の袋に収納する工程と、底板みつ入り板を除去した後にはちを空箱の養蜂箱本体内のすべてのはちを移動させる工程とからなる日本みつばち専用の養蜂方法において、前記養蜂箱本体をわらを素材にしたこも類の防寒材で包装してゴムひもで締着して冬季の養蜂箱本体を防護し、一方発砲ウレタン等の合成樹脂素材から成形される容器内にはちみつを吸入するスポンジを入れかつビン類に入っている砂糖水を注入し、冬場の働きばちに給餌してなることを特徴とする日本みつばち冬場専用の冬場養蜂方法の提供にある。
【００１２】
また本発明は、冬場養蜂方法において水1.８ｌに対して白砂糖２ｋｇと少量の食塩を入れ混合攪拌して一升ビンに収納してなる日本みつばち冬場専用の養蜂方法の提供にある。
【発明の効果】
【００１３】
本発明は、養蜂箱本体の巣箱内の上方部にはちみつの巣が形成されているかどうかを確認して充分にはちみつが貯留されていたならば養蜂箱本体を横に倒して底板を取りはずし、かつ空箱の養蜂箱本体の底板を取りはずしてはちみつ入りの養蜂箱に連着する工程と、はちみつ入りの養蜂箱本体の上蓋を取りはずしてみつ入り巣を包丁により取りはがしてみつ入り板を別体の袋に収納する工程と、底板みつ入り板を除去した後にはちを空箱の養蜂箱本体内のすべてのはちを移動させる工程とからなる日本みつばち専用の養蜂方法において、前記養蜂箱本体をわらを素材にしたこも類の防寒材で包装してゴムひもで締着して冬季の養蜂箱本体を防護し、一方発砲ウレタン等の合成樹脂素材から成形される容器内にはちみつを吸入するスポンジを入れかつビン類に入っている砂糖水を注入し、冬場の働きばちに給餌してなることを特徴とする日本みつばち冬場専用の養蜂方法であり、また前記冬場養蜂方法において水1.８ｌに対して白砂糖２ｋｇと少量の食塩を入れ混合攪拌して一升ビンに収納してなる日本みつばち冬場専用の養蜂方法であるから、冬場における日本みつばちお容易に養蜂することができる。なお、従来の西洋みつばちの養蜂方法とは全く異なる養蜂方法を提供することができる。以下、その具体的な効果を説明する。
ア、日本みつばちは西洋みつばちとは異なり、採蜜活動の場所が標高１，０００ｍ〜１，  ５００ｍの山里であることから、主として高山植物に開花されている小さな花からみつ  を採取しているので、西洋みつばちの採取しているみつとは全く高質成分のみつが得ら  れる。
イ、また、日本みつばちは西洋みつばちとは異なり、人工的に作成された養蜂箱に巣づく  りをしてみつを採取することができず、全く自然の環境状態にしてはちたちが自ら巣箱  をつくる習性があるから、みつの採取量が西洋みつばちよりはるかに少量であり、しか  も１年からに２年位しないと採蜜することができない。その結果、西洋みつばちより高  額となり高級指向型のみつを提供することができる。
ウ、このような習性と特性を有する日本みつばちを我が国全土に養蜂するのには、日本み  つばちに適した山里を管理するのが前提条件となるので、国などの公共団体の支援はも  とより、我が国養蜂家の高質化が不可欠となる。この養蜂家の養成が我が国の野菜や果  物などの自給自足を高めることができるとともに、高質で高級な日本みつばちのみつを  市場に提供することが可能となる。
ヱ、よって、本発明による日本みつばちの養蜂方法を採用すれば、上記の如き多くの効果  が得られることになり、我が国の農林業の支援にも大いに役立つことにもなる。
【発明を実施するための最良の形態】
【００１４】
本発明の最良な実施形態は、大昔から自然養蜂されていた日本みつばちを人工的な養蜂方法を新規に開発したものである。特に冬場の日本みつばちの養蜂方法として新しく開発されたものである。
【００１５】
すなわち、本発明の養蜂方法のうち特に養蜂方法であるから、養蜂箱本体の巣箱内の上方部にはちみつの巣が形成されているかどうかを確認して充分にはちみつが貯留されていたならば養蜂箱本体を横に倒して底板を取りはずしかつ空箱の養蜂箱本体の底板を取りはずしてはちみつ入りの養蜂箱に連着する工程と、はちみつ入りの養蜂箱本体の上蓋を取りはずしてみつ入り巣を包丁により取りはがしてみつ入り板を別体の袋に収納する工程と、底板みつ入り板を除去した後にはちを空箱の養蜂箱本体内のすべてのはちを移動させる工程とからなる日本みつばち専用の養蜂方法において、前記はちみつが貯留されている養蜂箱本体を固定板の片側に枕木を横長に配置しかつ養蜂箱本体と同形状のはち巣箱専用の養蜂箱を連接する工程と、該養蜂箱本体の上蓋を金づちで叩いて養蜂箱本体内に入っている働きばちをはち巣移動箱の養蜂箱に息吹きをしながら働きばちを移動させる工程と、前記工程により働きばちをはち巣移動用の養蜂箱に移動し養蜂箱本体からみつの入っているみつ巣を包丁を介してみつが入っているみつ巣とみつの入っていないみつ巣とを切断しかつみつの入っているみつ巣を小さくくだいてみつ採取用容器に投入する工程と、前記容器に投入されたみつ巣をしぼりみつのみを採蜜容器に注入する工程とからなる日本みつばち専用の採蜜方法であり、また前記採蜜方法においてスチール製のメッシュからなるみつこし網に小さくくだいたみつ入りのみつ巣を置いて手でこすりつけかつさらし布からなるこし布を介してこし容器内でみつをしぼり採蜜容器に注入し、更に大小の養蜂箱本体を設け大きい養蜂箱本体に小さい養蜂箱を装着しかつビニールシートにて大小の養蜂箱を一緒に包みゴムひもで締結して養蜂箱の保温する日本みつばち専用の採蜜方法である。以下、その具体的な最良な実施例について説明する。
【００１６】
まず、図１によって本発明の冬場専用の日本みつばちの養蜂方法について説明する。図１（ａ）に示すように、日本みつばち専用の養蜂箱本体１をわらで編んだこもで着装し、ゴムひも４で締め付けて置台Ｗに置けば、図１（ｂ）に示すように働きばちＡは寒い冬場でもはち出入口５から出入りすることが可能である。
【００１７】
次に、図２と図３によって冬場の日本みつばちの養蜂方法について説明すれば、まず図２（ａ）に示すように発砲ウレタン製の砂糖注入容器１１にあらかじめ用意した砂糖水Ｒを注入されている砂糖水ビンｈの砂糖水Ｒを注入して、豆腐状に形成し数個のスポンジＳを配設する。このような砂糖水Ｒが注入されているスポンジがセットされている。砂糖水注入容器１１を図２（ｂ）に示すように、働きばちＡは冬場の蜜にどこでもはち出入口５から出入ができるとともに、図３（ｃ）に示すようにスポンジＳに染み込んでいる砂糖水を補給しながら、はち巣の日本ばちのはち卵子に養分を補給することができる。なお、図３（d ）は砂糖水ビンに注入する砂糖Ｈは、１. ８ｌの水に２ｋｇの白砂糖とスプーンＴに少量の塩とを入れて混合攪拌したものが用いられている。
【図面の簡単な説明】
【００１８】
【図１】本発明の冬場専用の養蜂方法を示した概要図。
【図２】図１の養蜂方法の使用方法を示した概要図。
【図３】図１の養蜂方法の使用方法を示した概要図。
【図４】従来の養蜂方法に使用されている養蜂箱の斜視図。
【図５】従来の養蜂方法に使用されている養蜂箱の斜視図。
【図６】従来の養蜂方法に使用されている養蜂箱の斜視図。
【図７】従来の養蜂方法に使用されている養蜂箱の斜視図。
【図８】従来の養蜂方法に使用されている養蜂箱の斜視図。
【図９】従来の養蜂方法に使用されている養蜂箱の斜視図。
【符号の説明】
【００１９】
１  養蜂箱本体                ２  はち出入口  
３  こも                      ４  ゴムひも
５  はち出入口                Ａ  働きばち
Ｂ  はち巣                    Ｗ  置台
１１  砂糖水注入容器          １２  砂糖水ビン
Ｓ  スポンジ                  Ｒ  砂糖水
Ｈ  白砂糖                    Ｐ  塩
Ｔ  スプーン
【図１】
2012065551.tif 000003
【図２】
2012065551.tif 000004
【図３】
2012065551.tif 000005
【図４】
2012065551.tif 000006
【図５】
2012065551.tif 000007
【図６】
2012065551.tif 000008
【図７】
2012065551.tif 000009
【図８】
2012065551.tif 000010
【図９】
2012065551.tif 000011